(57)【要約】【課題】本体とドア間のロック及び解除が滑らかで確かになされるボタン開閉装置を提供すること。【解決手段】ドア部と、ドア部に対応する構造を持つ本体を備え、ドア部には、挿合板及びが結合固定され、本体には、固定板、下側キャップ、弾性固定部材、及び上側キャップが結合固定される。【選択図】図１
2014008410.tif 000002
【特許請求の範囲】
【請求項１】
ドア部１０と、ドア部１０に対応する構造を持つ本体２０とを備え、
ドア部１０には、
胴体３１と、挿合孔１１を通過するように胴体３１にテーパー状に突設され、溝状の係合部３３が形成された挿合突起３２と、挿合孔１１を通過するように胴体３１に突設されたテーパー部３４と、胴体３１をカバーするキャップ３５とからなる挿合板３０と；
胴体４１と、挿合孔１１を通過して突出した挿合板３０の挿合突起３２の下端部まで嵌合されて挿合板３０をドア部１０に固定させるように通孔が形成されるか、あるいは挿合板３０のテーパー状挿合突起３２の外周面に合わせて曲がった形態に切開してなる突起４１ａが形成された固定部４２と、挿合板３０の離脱防止のために通孔４２と胴体４１の間に形成されたテーパー部４１ｂと、ドア部１０と当接する面に形成されたエンボス４３とからなり、端部がドア部１０から離隔するように折り曲げられた弾性固定部材４０が結合固定され、
本体２０には、
胴体５１と、胴体５１に突設され、挿合孔２１を通過した後に下側キャップ６０を固定させる挿合突起５２とからなる固定板５０と；
胴体６１と、挿合板５０の挿合突起５２が挿合孔２１に挿入して貫通するように形成された通孔６２とからなる下側キャップ６０と；
下側キャップ６０の内側下端部まで挿入固定される円盤体７１と、ドア部１０に固定される挿合板３０の挿合突起３２が挿入される弾性空間部７２と、弾性空間部７２を除いた部分で挿合突起３２の分離防止のために上向きに傾斜角を持つように形成された多数のテーパー部７３と、弾性空間部７２の中央部に形成された空間部７２と連通してドア部１０に固定される挿合板３０の挿合突起３２に形成された係合部３３に結合または解除の動作を行う通孔７４とからなる弾性固定部材７０と；
下側キャップ６０を取り囲む胴体８１と、ドア部１０に固定される挿合板３０の挿合突起３１及び固定板５０の挿合突起５２が通過するように形成された通孔８２とからなる上側キャップ８０が結合固定された
ことを特徴とするボタン開閉装置。
【請求項２】
ドア部１０は、挿合板３０の挿合突起３２が弾性固定部材４０の収容部に挿入された後、押圧によって拡張することによって離脱が防止される構造、挿合突起３２の周面に離脱防止用突起３８が形成される構造、または溝３７が形成され、この溝３７にリング３９が脱着される構造を選択的に適用される
請求項１に記載のボタン開閉装置。
【発明の詳細な説明】
【技術分野】
【０００１】
本発明は、かばん類及び衣類のボタン開閉装置に関するものである。
【背景技術】
【０００２】
一般に、かばんまたはハンドバッグは、品物を収納するように一定の空間が形成された本体と、本体を開閉するドアとから構成される。ドアには突起が設けられ、本体には突起挿入用孔が設けられる。これらの突起と孔は磁石式で構成され、磁力によってロックがなされるようにする。
しかし、磁力には限界があるので、例えば本体に多くの品物が収納されていれば、安定したロックができなくて、ややもすると品物の損失などの問題が発生することができた。
【発明の概要】
【発明が解決しようとする課題】
【０００３】
本発明は、本体とドア間のロック及び解除が滑らかで確かになされるようにしたボタン開閉装置を提供することを課題とする。
【課題を解決するための手段】
【０００４】
前記課題を達成するための本発明のボタン開閉装置は、ドア部とドア部に対応する構造を持つ本体とからなる装置であって、ドア部には、胴体と、挿合孔を通過するように胴体にテーパー状に突設され、溝状の係合部が形成された挿合突起と、挿合孔を通過するように胴体に突設されたテーパー部と、胴体をカバーするキャップとからなる挿合板；及び胴体と、挿合孔を通過して突出した挿合板の挿合突起の下端部まで嵌合されて挿合板をドア部に固定させるように通孔が形成されるか、あるいは挿合板のテーパー状挿合突起の外周面に合わせて曲がった形態に切開してなる突起が形成された固定部と、挿合板の離脱防止のために通孔と胴体の間に形成されたテーパー部と、ドア部と当接する面に形成されたエンボスとからなり、端部がドア部から離隔するように折り曲げられた弾性固定部材が結合固定され、本体には、胴体と、胴体に突設され、挿合孔を通過した後に下側キャップを固定させる挿合突起とからなる固定板；胴体と、挿合板の挿合突起が挿合孔に挿入して貫通するように形成された通孔とからなる下側キャップ；下側キャップの内側下端部まで挿入固定される円盤体と、ドア部に固定される挿合板の挿合突起が挿入される弾性空間部と、弾性空間部を除いた部分で挿合突起の分離防止のために上向きに傾斜角を持つように形成された多数のテーパー部と、弾性空間部の中央部に形成された空間部と連通してドア部に固定される挿合板の挿合突起に形成された係合部に結合または解除の動作を行う通孔とからなる弾性固定部材；及び下側キャップを取り囲む胴体と、ドア部に固定される挿合板の挿合突起及び固定板の挿合突起が通過するように形成された通孔とからなる上側キャップが結合固定されることを特徴とする。
【０００５】
前記ドア部は、挿合板の挿合突起が弾性固定部材の収容部に挿入された後、押圧によって拡張することによって離脱が防止される構造、挿合突起の周面に離脱防止用突起が形成される構造、または溝が形成され、この溝にリングが脱着される構造を選択的に適用してもよい。
【発明の効果】
【０００６】
本発明によれば、本体とドア間のロック及び解除が滑らかで確かになされる。
【図面の簡単な説明】
【０００７】
【図１】本発明の第１実施例の全体分解斜視図
【図２】ドア部に対する挿合板と弾性固定部材の結合状態を示す結合斜視図
【図３】図２の断面図
【図４】ドア部に対して本体、固定板、下側キャップ、弾性固定部材及び上側キャップの結合を示すための分解斜視図
【図５】本発明の第２実施例による挿合板、ドア部及び弾性固定部材の分解斜視図
【図６】図５のドア部に対する挿合板と弾性固定部材の結合状態を示す斜視図
【図７】図６の断面図
【図８】本発明の第１及び第２実施例に適用される弾性固定部材の詳細図
【図９】本発明の第３実施例による挿合板、ドア部及び弾性固定部材の結合状態を示す斜視図
【図１０】図９の断面図
【図１１】本発明の第４実施例による全体分解斜視図
【図１２】図１１の結合断面図
【図１３】本発明のドアに固定される挿合板と弾性固定部材の他の例を示す説明図
【図１４】本発明のドアに固定される挿合板と弾性固定部材の他の例を示す説明図
【発明を実施するための形態】
【０００８】
本発明の第１実施例によるボタン開閉装置は、ドア部１０と、ドア部１０の対応構造を持つ本体２０とからなる。
図１に示すように、ドア部１０は、挿合板３０と弾性固定部材４０が上下側にそれぞれ位置して結合されるように挿合孔１１が形成される。
【０００９】
挿合板３０は、挿合板３０をドア部１０の外側に位置させ、強度増大のためにキャップ３５でカバーされる胴体３１と、挿合孔１１を通過するように胴体３１にテーパー状に突設された挿合突起３２とからなる。挿合突起３２は、弾性固定部材４０に対する結合及び解除の動作のために溝状の係合部３３が形成される。
【００１０】
弾性固定部材４０は、弾性固定部材４０をドア部１０の内側に位置させる胴体４１と、挿合孔１１を通じて突出した挿合板３０の挿合突起３２の下端部が結合されることで、挿合板３０をドア部１０に固定させるように通孔でなった固定部４２とからなる。通孔４２と胴体４１の間には、挿合板３０の挿入後に離脱を防止するために、テーパー部４１ｂが形成される。弾性固定部材４０は、ドア部１０から離隔するように端部が折り曲げられ、ドア部１０との密着防止のためにエンボス４３が形成される。エンボス４３は押圧式で形成されたもので、その反対面には凹部４３ａが形成される。
【００１１】
一方、図１３〜１4に示すように、ピン状に挿合板３０の挿合突起３２を形成し、前記挿合突起３２の収容部が形成されるように弾性固定部材４０をそれぞれ製造し、挿合突起３２が弾性固定部材４０に挿入された後に圧搾することにより、挿合突起３２の下部が拡張して弾性固定部材４０から離脱しないように構成することもできる。
【００１２】
本体２０は、固定板５０、下側キャップ６０、弾性固定部材７０及び上側キャップ８０がそれぞれ上下側に位置して結合するように挿合孔２１が形成される。
【００１３】
固定板５０は、固定板５０をいつも本体２０の内側に位置させる胴体５１と、胴体５１に突設され、挿合孔２１を通過した後に下側キャップ６０を固定させる挿合突起５２とからなる。挿合突起５２は、下側キャップ６０の通孔６２に挿入された後、その上端部が器機によって押圧されて外周側に拡張すれば、下側キャップ６０の通孔６２、つまり胴体６１の内側通孔周面に圧搾されることにより、固定板５０と下側キャップ６０が固定されるようにする。
【００１４】
下側キャップ６０は、胴体６１と、本体２０の挿合孔２１を通過した固定板５０の挿合突起５２が貫通するように通孔６２が形成される。
【００１５】
弾性固定部材７０は、金属、非鉄金属及びプラスチックのいずれか１種で製造されるもので、下側キャップ６０の内側底面に固定される円盤体７１と、ドア部１０に固定された挿合板３０の挿合突起３２が挿合される三角形の弾性空間部７２と、弾性空間部７２を除いた部分で上向きに一定の傾斜角を持つテーパー部７３と、弾性空間部７２の中央部に形成された空間部７２と連通するもので、ドア部１０に固定された挿合板３０の係合部３３から係合が解除されることによって本体が開閉するようにする通孔７４とからなる。弾性固定部材７０は、テーパー部７３を複数形成することで、挿合突起３２の分離の際、適切な弾性力によって故障及び破損を防止することもできる。
【００１６】
上側キャップ８０は、下側キャップ６０を取り囲む胴体８１と、ドア部１０に固定された挿合板３０の挿合突起３１及び本体２０に固定された固定板５０の挿合突起５２が通過するように形成された通孔８２と、挿合突起３１の通孔８２への挿入が容易になるように通孔８２を中心に一定の面積が放射状に一定の角度で上向きに傾いたテーパー部８３とからなる。
【００１７】
このように構成された本発明のボタン開閉装置は、図２及び３に示すように、挿合孔１１に挿合突起３２を挿入し、背面から固定部４２を挿合突起３２のテーパー状下端部まで結合すれば、固定部４２が微細な弾性力を持つので、わずかの力でも容易に挿入でき、上狭下広のテーパー部３４まで挿入が完了することにより弾性固定部材４０からの離脱が防止される。
【００１８】
また、図４に示すように、下側キャップ６０の内側底部まで弾性固定部材７０を挿着してから上側キャップ８０を覆い、挿合孔２１に挿合突起５２を挿合すれば、挿合突起５２の上端部が通孔８２を少し外れて位置することになる。このように位置した挿合突起５２の上端部を押圧すれば、挿合突起５２の直径が拡張して通孔６２の直径より大きくなって通孔６２の周囲に圧着されることで、固定板５０と下側キャップ６０が固定される。よって、下側キャップ６０、弾性固定部材７０及び上側キャップ８０の組立体が本体２０を挟んで固定板５０と完全に結合固定される。
【００１９】
このように組立完了した本装置のロック動作において、挿合突起３２を通孔８２に挿入して通孔７４に向けて押せば、挿合突起３２の係合部３３が通孔７４に係合することになる。
また、弾性固定部材７０が下側キャップ６０の下端部に密着した状態でテーパー部７３が通孔７４に対して上側に一定角度だけ傾いた状態を維持するので、挿合突起３２の離脱が防止される。すなわち、挿合突起３２が通孔７４から分離されるためには、通孔７４を中心に形成されたテーパー部７４の通孔７３部分が挿合突起３２の動きによって上側に一緒に上昇しなければならないが、このような動きは傾斜角によってめったにできないので、堅固なロック状態が維持されるものである。
【００２０】
ロック解除の動作は前記と逆の過程で行われる。
本発明の第２実施例は、図５〜７に示すように、挿合板３０及び弾性固定部材４０の構造を変形させたもので、挿合板３０は、ドア１０からの離脱防止のために、挿合突起３２の下部周面、つまりドア１０と当接する部分に突起３８が形成される。
弾性固定部材４０は、ドアとの密着防止のために、ドア１０から離隔するように端部が折り曲げられ、エンボス４３が形成される。エンボス４３は押圧式で形成され、反対面には凹部４３ａが形成される。
【００２１】
本発明の第２実施例によれば、挿合孔１１に挿合突起３２を挿入し、背面で固定部４２を挿合突起３２の下端部まで密着して嵌合すれば、挿合突起３２の係合部３３がドア部１０の外側に突出した状態で固定部４２に挿合突起３２の外周面が接触した状態を維持し、挿合突起３２の周面に形成された突起３８と固定部４２の内周面が嵌合してドア１０を挟んで固定される。
【００２２】
一方、本発明の第１及び２実施例に適用される弾性固定部材４０は、図８に示すような多様な文様が刻み込まれることで、前後の区別が可能であるようにする。
【００２３】
本発明の第３実施例は、図９及び１０に示すように、挿合板３０の構造を変形させたもので、挿合突起３２の下部周面、つまりドア１０と当接する部分に一定深さの溝３７を形成し、その溝３７に挿入したときに一定の部分が突出するように形成されたリング３９を別に製造して緊密に結合する。このリング３９は、例えば“Ｃ”字形に製造して着脱が簡便になるようにし、例えば溝３７に挿入するときには、“Ｃ”字形に開放した部分をちょっと開けて挿入した後、開放した部分が互いに触れるように締め、溝３７からの分離の際には開放部をちょっと開けて分離すれば良い。
【００２４】
本発明の第３実施例によれば、挿合孔１１に挿合突起３２を挿入すれば、挿合突起３２の係合部３３がドア部１０の外側に突出した状態で、挿合突起３２の周面に形成された溝３７に緊密に結合されたリング３８によって挿合板３０がドア１０に結合される。
【００２５】
本発明の第４実施例は、図１１及び１２に示すように、弾性固定部材４０と上側キャップ８０の構造を変形させたもので、弾性固定部材４０は、固定部４２に形成された通孔に一定形状に切開してなる突起４１ａが形成され、この突起４１ａは挿合板３０のテーパー状挿合突起３２の外周面に合わせて曲がった形態である。
【００２６】
上側キャップ８０は、挿合突起３１の通孔８２への挿入が容易になされるように、通孔８２の周囲に一定の面積が放射状に一定角度だけ上向きに傾いたテーパー部８３が形成される。
挿合突起３２に形成された係合部３３がドア１０の外側に突出した状態で、固定部４２に形成された突起４１ａの端部がテーパー状挿合突起３２の外周面に接触した状態を維持することで、挿合突起３２のテーパー部と突起４１ａの端部が嵌合されることにより、ドア部１０を挟んで結合される。
【００２７】
この際、テーパー部８３が通孔８２側に一定角度だけ下向きに斜めに形成されているので、挿合突起３２を通孔８２に正確に合わせなくても、傾斜面に沿って滑りながら通孔８２側に挿入することによってロックがなされる。
【産業上の利用可能性】
【００２８】
本発明は、様々なかばん類及び衣類のボタン開閉装置に適用でき、産業上有用である。
【符号の説明】
【００２９】
１０    ドア部
１１    挿合孔
２０    本体
２１    挿合孔
３０    挿合板
３１    胴体
３２    挿合突起
３３    係合部
３４    テーパー部
３５    キャップ
４０    弾性固定部材
４１    胴体
４１ａ  突起
４１ｂ  テーパー部
４２    固定部
４３    エンボス
５０    固定板
５１    胴体
５２    挿合突起
６０    下側キャップ
６１    胴体
６２    通孔
７０    弾性固定部材
７１    円盤体
７２    弾性空間部
７３    テーパー部
７４    通孔
８０    上側キャップ
８１    胴体
８２    通孔
【図１】
2014008410.tif 000003
【図２】
2014008410.tif 000004
【図３】
2014008410.tif 000005
【図４】
2014008410.tif 000006
【図５】
2014008410.tif 000007
【図６】
2014008410.tif 000008
【図７】
2014008410.tif 000009
【図８】
2014008410.tif 000010
【図９】
2014008410.tif 000011
【図１０】
2014008410.tif 000012
【図１１】
2014008410.tif 000013
【図１２】
2014008410.tif 000014
【図１３】
2014008410.tif 000015
【図１４】
2014008410.tif 000016